(57)【要約】【課題】  間口調整が可能で且つ収納に関するデッドスペースを小さく抑えることのできるサイドキャビネット形式の洗面化粧台。【解決手段】  洗面ボール（１）が設けられたカウンター部（２）と、カウンター部の一方の側に配置されたサイドキャビネット（３）とを備えている。カウンター部はサイドキャビネットを貫通して洗面化粧台の幅方向のほぼ全体に亘って延び、カウンター部の下方にはオープンスペースが形成されている。また、サイドキャビネットは、カウンター部の上方に設けられた上部キャビネット（４）と、カウンター部の下方に設けられた下部キャビネット（５）とを有する。【選択図】  図１
2005081025.tif 000002
【特許請求の範囲】
【請求項１】
洗面ボールが設けられたカウンター部と、
前記カウンター部の一方の側に配置されたサイドキャビネットとを備え、
前記カウンター部は前記サイドキャビネットを貫通して洗面化粧台の幅方向のほぼ全体に亘って延び、
前記カウンター部の下方にはオープンスペースが形成されていることを特徴とする洗面化粧台。
【請求項２】
前記サイドキャビネットは、前記カウンター部の上方に設けられた上部キャビネットと、前記カウンター部の下方に設けられた下部キャビネットとを有することを特徴とする請求項１に記載の洗面化粧台。
【請求項３】
前記洗面ボールの一部は前記下部キャビネットの上方まで達し、前記下部キャビネットは前記カウンター部への給水配管および前記カウンター部からの排水配管を収容していることを特徴とする請求項２に記載の洗面化粧台。
【発明の詳細な説明】
【技術分野】
【０００１】
本発明は、洗面化粧台に関し、特にサイドキャビネット形式の洗面化粧台に関するものである。
【背景技術】
【０００２】
比較的狭い間口を有する空間に洗面化粧台を設置する場合、洗面化粧台の幅寸法を設置空間の間口と正確に一致させることは製作上および施工上の観点から困難であり、洗面ボールが設けられたカウンター部と側壁との間に細い隙間が残るのが一般的である。この場合、洗面ボールの使用時に飛散する水滴やカウンター上の小物などが、カウンター部と側壁との間の細い隙間に落下し易く、側壁面の汚れや清掃性の低下を招く。
【０００３】
そこで、従来技術では、カウンター部の一方の側にサイドキャビネット（収納棚）を配置するサイドキャビネット形式の洗面化粧台において、カウンター部と側壁との間に隙間が発生しないように間口調整するための間口調整パーツをサイドキャビネットの下方に備えた構成が提案されている（たとえば特許文献１を参照）。
【０００４】
【特許文献１】特開２００１−１６１５７４号公報
【発明の開示】
【発明が解決しようとする課題】
【０００５】
しかしながら、上述の公報に開示された従来の洗面化粧台では、たとえば最大幅で間口調整パーツを使用する場合、間口調整パーツに起因して収納に関するデッドスペースが比較的大きく発生するという不都合があった。
【０００６】
本発明は、前述の課題に鑑みてなされたものであり、間口調整が可能で且つ収納に関するデッドスペースを小さく抑えることのできるサイドキャビネット形式の洗面化粧台を提供することを目的とする。
【課題を解決するための手段】
【０００７】
前記課題を解決するために、本発明では、洗面ボールが設けられたカウンター部と、
前記カウンター部の一方の側に配置されたサイドキャビネットとを備え、
前記カウンター部は前記サイドキャビネットを貫通して洗面化粧台の幅方向のほぼ全体に亘って延び、
前記カウンター部の下方にはオープンスペースが形成されていることを特徴とする洗面化粧台を提供する。
【０００８】
本発明の好ましい態様によれば、前記サイドキャビネットは、前記カウンター部の上方に設けられた上部キャビネットと、前記カウンター部の下方に設けられた下部キャビネットとを有する。この場合、前記洗面ボールの一部は前記下部キャビネットの上方まで達し、前記下部キャビネットは前記カウンター部への給水配管および前記カウンター部からの排水配管を収容していることが好ましい。
【発明の効果】
【０００９】
本発明では、洗面ボールの設けられたカウンター部がサイドキャビネットを貫通して洗面化粧台の幅方向のほぼ全体に亘って延び、カウンター部の下方にはオープンスペースが形成されている。したがって、例えば７５０ｍｍ程度の比較的狭い間口を有する空間に洗面化粧台を設置する場合、サイドキャビネットとは反対側の壁面とカウンター部とを当接させた状態で洗面化粧台を設置することにより、カウンター部と側壁との間に隙間が実質的に発生しないように間口調整することができる。
【００１０】
また、本発明では、カウンター部自体が間口調整パーツを構成し且つカウンター部の下方にはオープンスペースが形成されているので、間口調整パーツとしてのカウンター部に起因して収納に関するデッドスペースがほとんど発生することがない。こうして、本発明では、間口調整が可能で且つ収納に関するデッドスペースを小さく抑えることのできるサイドキャビネット形式の洗面化粧台を実現することができる。
【００１１】
また、本発明では、サイドキャビネットがカウンター部の上方に設けられた上部キャビネットとカウンター部の下方に設けられた下部キャビネットとを有する構成を採用することにより、カウンター部がサイドキャビネットを貫通して洗面化粧台の幅方向のほぼ全体に亘って延びる構造を簡素な構成に基づいて容易に実現することができる。
【００１２】
また、本発明では、洗面ボールの一部が下部キャビネットの上方まで達し、下部キャビネットがカウンター部への給水配管およびカウンター部からの排水配管を収容している構成を採用することにより、所要のサイズ（容積、開口寸法など）を有する洗面ボールを確保しつつ比較的狭い間口を有する空間に設置可能な洗面化粧台を実現することができる。加えて、カウンター部の下方スペースにおいて排水配管周りのデッドスペースが発生することなくカウンター部の下方スペースの収納性を向上させることができるとともに、カウンター部に対する配管が外部に露出することのない外観的に美しいレイアウトを実現することができる。
【発明を実施するための最良の形態】
【００１３】
本発明の実施形態を、添付図面に基づいて説明する。
図１は、本発明の実施形態にかかる洗面化粧台の基本的な構成を模式的に示す斜視図である。また、図２は、本実施形態の洗面化粧台の具体的な構成を概略的に示す図であって、（ａ）は上面図を、（ｂ）は正面図をそれぞれ示している。また、図３は、洗面ボールが設けられたカウンター部の構成を概略的に示す斜視図である。
【００１４】
また、図４は、洗面ボールの内部に配設されたトレーの構成を概略的に示す図である。また、図５は、上部キャビネットの具体的な構成を概略的に示す図であって、（ｂ）は正面図を、（ａ）は（ｂ）の線Ａ−Ａに沿った断面図をそれぞれ示している。また、図６は、図５（ｂ）の線Ｂ−Ｂに沿った上部キャビネットの断面図である。
【００１５】
図１および図２を参照すると、本実施形態の洗面化粧台は、洗面ボール１が設けられたカウンター部２と、カウンター部２の右側（洗面化粧台に正対して右側）に配置されたサイドキャビネット３とを備えている。サイドキャビネット３は、カウンター部２の上方に設けられた上部キャビネット４と、カウンター部２の下方に設けられた下部キャビネット５と、上部キャビネット４および下部キャビネット５の前側において三角形状の断面を有し且つその上下方向のほぼ全体に亘って延びるトールキャビネット６（図１では不図示）とにより構成されている。
【００１６】
本実施形態の洗面化粧台では、カウンター部２がサイドキャビネット３を貫通して（すなわち上部キャビネット４と下部キャビネット５との間に潜り込んで）洗面化粧台の幅方向のほぼ全体に亘って延び、カウンター部２の下方にはオープンスペースが形成されている。また、図２（ｂ）において明瞭に示されているように、洗面ボール１の一部は下部キャビネット５の上方まで達し、下部キャビネット５はカウンター部２への給水配管（不図示）およびカウンター部２からの排水配管（不図示）を収容している。
【００１７】
図２および図３を参照すると、カウンター部２には、洗面ボール１の後方のバックガード２ａと、洗面ボール１に水（または温水）を供給するための供給口を備えた水栓本体２ｂと、水栓本体２ｂからの水（または温水）の供給を制御するための水栓ハンドル２ｃとが設けられている。ただし、図３では、図面の明瞭化のために、水栓本体２ｂのための貫通孔２ｄおよび水栓ハンドル２ｃのための貫通孔２ｅだけを示し、水栓本体２ｂおよび水栓ハンドル２ｃの図示を省略している。
【００１８】
また、図２（ａ）に示すように、トールキャビネット６の前面６ａ（すなわちサイドキャビネット３の前面）には片開きの扉６ｂが取り付けられ、扉６ｂの前面にはトールキャビネット６の上下方向のほぼ全体に亘って延びるトールミラー７が取り付けられている。なお、扉６ｂの前面（すなわちサイドキャビネット３の前面）はカウンター部２の左側（洗面化粧台に正対して左側）に向かって斜めに形成され、扉６ｂは右側に設けられた回転軸を中心としてカウンター部２の左側に向かって開口するように構成されている。ここで、トールキャビネット６の前面６ａはカウンター部２の幅方向に対して約４５度の角度をなすように設定され、カウンター部２の幅方向に沿ったトールキャビネット６の幅寸法（すなわちサイドキャビネット３の幅寸法）は約１５０ｍｍに設定されている。
【００１９】
さらに、図３に示すように、洗面ボール１の右側壁部には、水平方向に間隔を隔てて並んだ複数のオーバーフロー開口部２ｆが形成されている。また、洗面ボール１の右側の最深部には、図４に示すトレー８を設置するための一対のトレー台２ｇが設けられている。また、カウンター部２の前方の段差領域２ｈには幕板が取り付けられるか、あるいは幕板を取り付けない場合にはカウンター部２はこの段差無しで成形される。図３では、図面の明瞭化のために、一対のトレー台２ｇのうち、奥側のトレー台だけを示し、手前側のトレー台の図示を省略している。ちなみに、トレー８上には、洗面ボール１で使用するための石鹸やハンドソープなどが置かれる。
【００２０】
図５および図６を参照すると、上部キャビネット４の右側には蛍光灯設置スペース４ａが設けられ、蛍光灯設置スペース４ａの前方は蛍光灯カバー４ｂによって覆われ、蛍光灯カバー４ｂの下方には蛍光灯スイッチ４ｃなどが設けられている。また、上部キャビネット４の中段にはタオル掛け４ｄが水平方向に延びており、上部キャビネット４の中段から下端にかけて未使用のタオルを保管するためのタオルストックバー４ｅが鉛直方向に延びている。
【００２１】
さらに、上部キャビネット４の下端には水平方向に延びる回転トレー４ｆが設けられ、回転トレー４ｆの左側前方には回転軸４ｇが設けられている。こうして、回転トレー４ｆは、左側の回転軸４ｇを中心として回転しながら右側部分から先に前方へ突出するように構成されている。また、回転トレー４ｆの前面の下端近傍には、回転トレー４ｆの内部から外部へ水を導出するための水切り開口部４ｈが水平方向に細長く延びるように形成されている。回転トレー４ｆの内部には、コップや歯ブラシなどが置かれる。
【００２２】
以上のように、本実施形態では、洗面ボール１の設けられたカウンター部２がサイドキャビネット３を貫通して洗面化粧台の幅方向のほぼ全体に亘って延び、カウンター部２の下方にはオープンスペースが形成されている。その結果、例えば７５０ｍｍ程度の比較的狭い間口を有する空間に洗面化粧台を設置する場合、サイドキャビネット３とは反対側の左側壁面（不図示）とカウンター部２とを当接させた状態で洗面化粧台を設置することにより、カウンター部２と左側側壁との間に隙間が実質的に発生しないように間口調整することができる。
【００２３】
また、本実施形態では、カウンター部２自体が間口調整パーツを構成し且つカウンター部２の下方にはオープンスペースが形成されているので、間口調整パーツとしてのカウンター部２に起因して収納に関するデッドスペースがほとんど発生することがない。こうして、本実施形態では、間口調整が可能で且つ収納に関するデッドスペースを小さく抑えることのできるサイドキャビネット形式の洗面化粧台を実現することができる。
【００２４】
また、本実施形態では、サイドキャビネット３が、カウンター部２の上方に設けられた上部キャビネット４と、カウンター部２の下方に設けられた下部キャビネット５とを有する。その結果、カウンター部２がサイドキャビネット３を貫通して洗面化粧台の幅方向のほぼ全体に亘って延びる構造を、上述のような簡素な構成に基づいて容易に実現することができる。
【００２５】
また、本実施形態では、洗面ボール１の一部が下部キャビネット５の上方まで達し、下部キャビネット５がカウンター部２への給水配管およびカウンター部２からの排水配管を収容している。その結果、所要のサイズ（容積、開口寸法など）を有する洗面ボール１を確保しつつ比較的狭い間口を有する空間に設置可能な洗面化粧台を実現することができる。また、カウンター部２の下方スペースにおいて排水配管周りのデッドスペースが発生することなくカウンター部２の下方スペースの収納性を向上させることができるとともに、カウンター部２に対する配管が外部に露出することのない外観的に美しいレイアウトを実現することができる。
【００２６】
一般に、本実施形態のようなサイドキャビネット形式の洗面化粧台では、収納キャビネットがカウンター部の後方ではなく側方に設けられているので、例えば正面に窓が形成されている空間にも設置することが可能である。また、サイドキャビネット形式の洗面化粧台では、洗面ボールのサイズ（容積、開口寸法など）を小さくすることなく、洗面化粧台の奥行き寸法を例えば１５０ｍｍ程度小さく抑えることができる。
【００２７】
なお、上述の実施形態では、サイドキャビネット３が上部キャビネット４と下部キャビネット５とトールキャビネット６とにより構成されている。しかしながら、これに限定されることなく、サイドキャビネット３の具体的な構成については様々な変形例が可能である。
【００２８】
また、上述の実施形態では、洗面ボール１の一部が下部キャビネット５の上方まで達し、下部キャビネット５がカウンター部２への給水配管およびカウンター部２からの排水配管を収容している。しかしながら、これに限定されることなく、洗面ボール１の具体的な構成およびカウンター部２に対する配管のレイアウトについては様々な変形例が可能である。
【図面の簡単な説明】
【００２９】
【図１】本発明の実施形態にかかる洗面化粧台の基本的な構成を模式的に示す斜視図である。
【図２】本実施形態の洗面化粧台の具体的な構成を概略的に示す図であって、（ａ）は上面図を、（ｂ）は正面図をそれぞれ示している。
【図３】洗面ボールが設けられたカウンター部の構成を概略的に示す斜視図である。
【図４】洗面ボールの内部に配設されたトレーの構成を概略的に示す図である。
【図５】上部キャビネットの具体的な構成を概略的に示す図であって、（ｂ）は正面図を、（ａ）は（ｂ）の線Ａ−Ａに沿った断面図をそれぞれ示している。
【図６】図５（ｂ）の線Ｂ−Ｂに沿った上部キャビネットの断面図である。
【符号の説明】
【００３０】
１  洗面ボール
２  カウンター部
２ａ  バックガード
２ｂ  水栓本体
２ｃ  水栓ハンドル
３  サイドキャビネット
４  上部キャビネット
４ａ  蛍光灯設置スペース
４ｂ  蛍光灯カバー
４ｃ  蛍光灯スイッチ
４ｄ  タオル掛け
４ｅ  タオルストックバー
４ｆ  回転トレー
５  下部キャビネット
６  トールキャビネット
７  トールミラー
８  トレー
【図１】
2005081025.tif 000003
【図２】
2005081025.tif 000004
【図３】
2005081025.tif 000005
【図４】
2005081025.tif 000006
【図５】
2005081025.tif 000007
【図６】
2005081025.tif 000008